(57)【要約】【課題】  ビリヤード用キューの振動を人為的に操作することができるビリヤード用キューを提供する。【解決手段】  中空部６が形成された棒状のバット３と、バットとジョイント４、５を介して接続された中空部が形成された棒状のシャフト２とを備える棒状のビリヤード用キュー１において、シャフトの先端側領域の肉厚を、シャフトの基端側領域の肉厚よりも薄く形成する。【選択図】    図１
2005065801.tif 000002
【特許請求の範囲】
【請求項１】
中空部が形成された棒状のバットと、
該バットとジョイントを介して接続された中空部が形成された棒状のシャフトとを備える棒状のビリヤード用キューにおいて、
前記シャフトの先端側領域の肉厚が、前記シャフトの基端側領域の肉厚よりも薄い
ことを特徴とするビリヤード用キュー。
【請求項２】
前記バットの先端側領域の肉厚が、前記バットの基端側領域の肉厚よりも薄い
ことを特徴とする請求項１に記載のビリヤード用キュー。
【請求項３】
中空部が形成された棒状のバットと、
該バットとジョイントを介して接続された中空部が形成された棒状のシャフトとを備える棒状のビリヤード用キューにおいて、
前記バットの先端側領域の肉厚が、前記バットの基端側領域の肉厚よりも薄い
ことを特徴とするビリヤード用キュー。
【請求項４】
前記バット及びシャフトは金属材料より成る
ことを特徴とする請求項１、請求項２または請求項３に記載のビリヤード用キュー。
【請求項５】
前記中空部は切削加工若しくは鋳造加工によって形成された
ことを特徴とする請求項４に記載のビリヤード用キュー。
【発明の詳細な説明】
【技術分野】
【０００１】
本発明はビリヤード用キューに関する。詳しくは、バット及びシャフトがジョイントを介して接続された棒状のビリヤード用キューに係るものである。
【背景技術】
【０００２】
ビリヤード用キューは、シャフトとバットを分離可能に連結して構成され、シャフト、バット共に従来、主として木製の素材を加工して形成されている。
以下、図面を参酌して従来のビリヤード用キューについて説明する。
【０００３】
図２は従来のビリヤード用キューを説明するための模式的な図であり、ここで示すビリヤード用キュー１０１は、前部にボール（図示せず）を突き出す長細いシャフト１０２と、このシャフトの一端に装着され、その後部をビリヤード競技者が手で握るバット１０３との２つの部分から形成されている。
これらバットとシャフトとは、相互の端部をネジにより締結するジョイント１０４、１０５を設け、このジョイントを接続することでビリヤード用キューを形成している。この様にして形成されたビリヤード用キューは、通常、バット側からシャフト側に向かって細長く形成されたテーパを有している。
【０００４】
ここで、ビリヤード用キューは、ボールに当たった瞬間に、ビリヤード用キュー自体のしなりを利用してボールに運動量を与えている。従って、上述の様に、適度なしなりを得ることができる木製の素材を加工して形成されている。
即ち、例えば、鉄製の丸棒等の様に全くしなりを得ることができない素材でビリヤード用キューを形成した場合には、ショット時にボールに与える運動量が減少してしまう。一方、過度なしなりを得ることができる様な形状に木製のビリヤード用キューの加工を行った場合には、ショット時のボールの方向性が悪化してしまう。従って、ショット時にボールに対して適度な運動量を与えると共に、ボールの方向性を確保するためには、適度なしなりが必要であり、適度なしなりを得るために木製の素材を加工してビリヤード用キューを形成している。
【０００５】
ところで、ビリヤード用キューの使い易さの向上を目的とした技術は以下に示す様に多数開示されている。
【０００６】
例えば、特許文献１には、「ビリヤード用キューのシャフトおよび／またはバットが、中空部を有する棒状体であることを特徴とするビリヤード用キュー」等が開示されている。
この特許文献１では、中空部を形成することによってビリヤード用キューの軽量化を図り、比較的筋力の弱い女性や子供にも容易にビリヤード用キューを使用できるようにしたものである。
【０００７】
また、特許文献２には、「バット及びシャフトをジョイントを介して接続した棒状のビリヤードキュー構造において、前記シャフト内部に前記ジョイント側から先端側に向かって一部先端を残して半分以上の長さに穿設した中空穴を設け、この中空穴に棒状の軸芯を嵌入または硬化性樹脂を注入するいずれかの補強部材を備えることで、前記シャフトの一部先端と前記補強部材を備えるジョイント側とに種々の強度を兼ね備えるように設けたことを特徴とするビリヤードキュー構造」等が開示されている。
この特許文献２では、シャフトに硬さと弾性との両特性を兼ね備えて容易に競技者の意図する硬さに調節できるビリヤードキュー構造を提供している。
【０００８】
更に、特許文献３では、「バット及びシャフトがジョイントを介して接続されて棒状に延在するビリヤードキューにおいて、前記バットを接続する第一端部とこれに対向する第二端部とを有して棒状に延在し、中心に前記第一端部から第二端部に向かって穿設した中空穴を備えるシャフトと、前記シャフトの第二端部に取り付けるフェルールと、前記フェルールに取り付けた先端部と、前記シャフトの中空穴内にパイプ状に介在し、前記第一端部に延在する第一端と、前記第二端部から所定の距離を有して前記中空穴の途中まで延在する第二端との長さに形成した芯材とを備え、前記シャフトの中空穴内には、前記芯材のパイプ状内に内在する第一中空穴と、前記芯材が介在することなく前記第二端から前記シャフトの第二端部に向かって穿設された第二中空穴とを連通して設けたことを特徴とするビリヤードキュー」等が開示されている。
この特許文献３では、シャフトの全長において総合的にテーパ、硬さ、重さの全てを容易に使用者の使い易い理想的な構造に微調整できるビリヤードキューを提供している。
【０００９】
以上の様に、ビリヤード用キューの使い易さの向上を目的として様々な技術が開示されているが、特許文献１は軽量化を目的として中空部を形成したものであり、ビリヤード用キューの振動を人為的に操作するものでは無い。また、重量の適所配分を意図したものでも無い。
同様に、特許文献２は競技者の意図する硬さに調節することを可能とし、特許文献３はテーパ、硬さ、重さの微調整を可能としたものであり、ビリヤード用キューの振動を人為的に操作するものでは無く、重量の適所配分を意図したものでも無い。
【００１０】
【特許文献１】特開２００１−３４６９３２号公報
【００１１】
【特許文献２】特開２００２−６５９３４号公報
【００１２】
【特許文献３】特開２００２−３４６０２３号公報
【発明の開示】
【発明が解決しようとする課題】
【００１３】
ところで、上記した様に、木製の素材を加工してビリヤード用キューを形成しているために、ビリヤード用キューの内部設計の自由度に乏しく、技術革新に限界があった。
即ち、木製の素材を加工してビリヤード用キューを形成するということを前提とすると、強度確保の理由及び製造方法が切削に限定され、ビリヤード用キューの内部設計の自由度に乏しく、外形の形状を変化させて振動を発生させる手法のみしか存在しないために、飛躍的な技術革新に限界があった。
【００１４】
本発明は、以上の点に鑑みて創案されたものであって、ビリヤード用キューの振動を人為的に操作することができるビリヤード用キューを提供することを目的とするものである。
また、本発明は、グリップ部分に重量を集中させることによって、ショット時にボールに与える運動量の増大を図ることができるビリヤード用キューを提供することを目的とするものである。
【課題を解決するための手段】
【００１５】
上記の目的を達成するために、本発明に係るビリヤード用キューは、中空部が形成された棒状のバットと、該バットとジョイントを介して接続された中空部が形成された棒状のシャフトとを備える棒状のビリヤード用キューにおいて、前記シャフトの先端側領域の肉厚を、前記シャフトの基端側領域の肉厚よりも薄く形成する。
【００１６】
ここで、シャフトの先端側領域の肉厚をシャフトの基端側領域の肉厚よりも薄く形成することによって、シャフトの先端側領域の強度と剛性を低減させることができる。
【００１７】
また、中空部が形成された棒状のバットと、該バットとジョイントを介して接続された中空部が形成された棒状のシャフトとを備える棒状のビリヤード用キューにおいて、前記バットの先端側領域の肉厚を、前記バットの基端側領域の肉厚よりも薄く形成する。
【００１８】
ここで、バットの先端側領域の肉厚をバットの基端側領域の肉厚よりも薄く形成することによって、グリップ部に重量を集中させることができる。
【発明の効果】
【００１９】
本発明を適用したビリヤード用キューでは、シャフトの先端側領域の強度と剛性を低減させることができ、シャフトの先端側領域に振動を発生させることができるために、ビリヤード用キューの振動を人為的に操作することができる。
また、本発明を適用したビリヤード用キューでは、グリップ部に重量を集中させることができるために、ショット時にボールに与える運動量の増大を図ることができる。
【発明を実施するための最良の形態】
【００２０】
以下、本発明の実施の形態を図面を参照しながら説明し、本発明の理解に供する。
【００２１】
図１は本発明を適用したビリヤード用キューの一例を説明するための模式的な断面図であり、ここで示すビリヤード用キュー１は、上記した従来のビリヤード用キュート同様に、前部にボール（図示せず）を突き出す長細いシャフト２と、このシャフトの一端に装着され、その後部をビリヤード競技者が手で握るバット３との２つの部分から形成されている。
また、上記した従来のビリヤード用キューと同様に、シャフトとバットとは、相互に端部をネジにより締結するジョイント（１）４及びジョイント（２）５を設け、このジョイントを接続することでビリヤード用キューを形成している。この様にして形成されたビリヤード用キューは、バット側からシャフト側に向かって細長く形成されたテーパを有している。
【００２２】
更に、シャフトは鉄合金等の金属材料を素材とし、切削加工によって中空部６が形成された棒状体であり、シャフトの先端側領域を形成する金属材料の膜厚が、シャフトの基端側領域を形成する金属材料の膜厚よりも薄くなる様に形成されている。
【００２３】
また、バットは鉄合金等の金属材料を素材とし、切削加工によって中空部が形成された棒状体であり、バットの先端側領域を形成する金属材料の膜厚が、シャフトの基端側領域を形成する金属材料の膜厚よりも薄くなる様に形成されている。
【００２４】
ここで、シャフトの素材は、シャフトの先端側領域に振動を発生させることができる程度にまでシャフトの先端側領域を形成する素材の肉厚を薄くしたとしても充分に強度を保つことができるのであれば、必ずしも金属材料である必要は無い。但し、薄肉化したとしても強度を確保することができると共に、薄肉化するための加工が容易であるという点を考慮すると、シャフトの素材は金属材料である方が好ましい。
なお、従来のビリヤード用キューの素材として主に用いられていた木材によってシャフトを形成した場合には、中空部を形成することに起因するシャフトの強度の低下を補強するために、上記した特許文献１に記載されている様に多層構造を採用したり、上記した特許文献２及び特許文献３に記載されている様に中空部に補強部材を注入したりする必要が生じてしまう。
【００２５】
ここで、バットの素材についても、上記したシャフトの素材と同様に、バットの基端側のグリップ部分に重量を集中させ、ショット時にボールに与える運動量の増大を図ることができる程度にまでバットの先端側領域を形成する素材の肉厚を薄くしたとしても充分に強度を保つことができるのであれば、必ずしも金属材料である必要は無い。但し、薄肉化したとしても強度を保つことができると共に、薄肉化するための加工が容易であるという点を考慮すると、バットの素材は金属材料である方が好ましい。
なお、従来のビリヤード用キューの素材として主に用いられていた木材によってバットを形成した場合には、中空部を形成することに起因するバットの強度の低下を補強するために、上記したシャフトの場合と同様に、多層構造を採用したり、中空部に補強部材を注入したりする必要が生じてしまう。
【００２６】
また、上記した本発明を適用したビリヤード用キューの一例では、シャフトを切削加工により形成しているが、シャフトは、中空部が形成された棒状体であると共にその先端側領域を形成する金属材料の膜厚がその基端側領域を形成する金属材料の膜厚よりも薄くなる様に形成されていれば充分であり、必ずしも切削加工によって形成される必要は無く、例えば、鋳造加工等によって形成されても構わない。
【００２７】
同様に、バットについても、中空部が形成された棒状体であると共にその先端側領域を形成する金属材料の膜厚がその基端側領域を形成する金属材料の膜厚よりも薄くなる様に形成されていれば充分であり、必ずしも切削加工によって形成される必要は無く、例えば、鋳造加工等によって形成されても構わない。
【００２８】
上記した本発明を適用したビリヤード用キューでは、シャフトの先端側領域を形成する金属材料の膜厚が、シャフトの基端側領域を形成する金属材料の膜厚よりも薄く形成することによって、即ち、振動させたい部分の金属材料の膜厚を薄く、振動させたくない部分の金属材料の膜厚を厚く形成し、意図的に肉厚を変化させることによって、ビリヤード用キューの振動を人為的に操作することができる。
【００２９】
また、従来のビリヤード用キューの振動管理については、ビリヤード用キューの外形のテーパ度を変化させることによってのみしか得られず、振動の度合いが不安定であり同等の振動量であるビリヤード用キューの生産が困難であったが、本発明を適用したビリヤード用キューでは、振動量が同等であるビリヤード用キューの安定生産が可能となる。
【００３０】
更に、バットの先端側領域を形成する金属材料の膜厚が、バットの基端側領域を形成する金属材料の膜厚よりも薄く形成することによって、結果的にグリップ部分に重量が集中し、重量が手元に集中することによって操作性（方向性）が安定すると共に、重量が集中することによってショット時にボールに与える運動量の増加を図ることもできる。
【図面の簡単な説明】
【００３１】
【図１】従来のビリヤード用キューを説明するための模式的な図である。
【図２】本発明を適用したビリヤード用キューの一例を説明するための模式的な図である。
【符号の説明】
【００３２】
１    ビリヤード用キュー
２    シャフト
３    バット
４    ジョイント（１）
５    ジョイント（２）
６    中空部
【図１】
2005065801.tif 000003
【図２】
2005065801.tif 000004